(57)【要約】【課題】  小型化を図れかつ、冷却効率の向上が図れるプロジェクタを提供する。【解決手段】プロジェクタを構成する光源装置４１は、発光管４１１および楕円リフレクタ４１２を支持した状態で楕円リフレクタ４１２の光路前段側および光路後段側に互いに独立した第１の空間Ａ１および第２の空間Ａ２が内部に形成されるランプハウジング４１４を備える。ランプハウジング４１４には、第１の空間Ａ１内外に空気を流通させる第１の導入口４１５３Ｄおよび第１の排出口４１６１Ｂ３と、第２の空間Ａ２内外に空気を流通させる第２の導入口４１７１および第２の排出口４１６１Ｄ，４１６１Ｅと、第１の排出口４１６１Ｂ３および第２の排出口４１６１Ｄ，４１６１Ｅを平面的に囲い、前記各部材４１１，４１２から離間する方向に突出して先端部分が軸流ファン５１の吸入口５１１と接続する吸入側ダクトＤｔとが形成されている。【選択図】 図１５
2006243361.tif 000002
【特許請求の範囲】
【請求項１】
光源装置と、前記光源装置から射出された光束を画像情報に応じて変調する光変調装置と、前記変調された光束を拡大投射する投射光学装置と、前記光源装置、前記光変調装置、および前記投射光学装置を内部に収納配置する外装筺体と、前記外装筺体内部の空気を外部に排出する排気ファンとを備えたプロジェクタであって、
前記光源装置は、一対の電極間で放電発光が行われる発光管、および前記発光管から放射された光束を一定方向に揃えて射出するリフレクタを有する光源ランプと、前記光源ランプを支持し、前記光源ランプを支持した状態で前記光源ランプを囲い前記リフレクタの光路前段側および光路後段側に互いに独立した第１の空間および第２の空間が内部に形成されるランプハウジングとを備え、
前記ランプハウジングには、前記第１の空間に空気を導入するための第１の導入口、および前記第１の空間の空気を外部に排出するための第１の排出口と、前記第２の空間に空気を導入するための第２の導入口、および前記第２の空間の空気を外部に排出するための第２の排出口と、前記第１の排出口および前記第２の排出口を平面的に囲い、前記光源ランプから離間する方向に突出して先端部分が前記排気ファンの吸入口と接続する吸入側ダクトとが形成されていることを特徴とするプロジェクタ。
【請求項２】
請求項１に記載のプロジェクタにおいて、
前記外装筺体には、前記排気ファンから吐出された空気を当該プロジェクタ外部に排出するための排気口が形成され、
前記第１の排出口は、前記ランプハウジングの側面に平面視で前記発光管と干渉する位置に形成され、
前記吸入側ダクトは、前記第１の排出口から排出された空気の流通方向を変更する形状を有し、前記発光管から前記第１の排出口を介して前記排気口に向かう光を遮断し、
前記第２の排出口は、当該プロジェクタを所定位置に設置した際に当該プロジェクタの自重が掛かる方向を下方向、および前記自重が掛かる方向と逆方向を上方向とした場合に、前記光源ランプの前記上方向側端面より前記上方向側または前記下方向側端面より前記下方向側の少なくともいずれか一方の側に対応する前記ランプハウジングの側面に形成されていることを特徴とするプロジェクタ。
【請求項３】
請求項２に記載のプロジェクタにおいて、
前記ランプハウジングの側面は、当該プロジェクタを所定位置に設置した際に当該プロジェクタの自重が掛かる方向に段部が形成された段付形状を有し、
前記第２の排出口は、前記段部に形成されていることを特徴とするプロジェクタ。
【請求項４】
請求項１から請求項３のいずれかに記載のプロジェクタにおいて、
前記排気ファンは、複数の羽根板が回転軸を中心として回転することで空気の吸入および吐出を実施するものであり、
前記第１の排出口および前記第２の排出口は、前記排気ファンの前記複数の羽根板の先端側に対向する位置に形成されていることを特徴とするプロジェクタ。
【請求項５】
請求項１から請求項４のいずれかに記載のプロジェクタにおいて、
前記第１の導入口および前記第２の導入口のうち少なくともいずれか一方の導入口は、当該プロジェクタを所定位置に設置した際に当該プロジェクタの自重が掛かる方向と逆方向側に形成されていることを特徴とするプロジェクタ。
【請求項６】
請求項１から請求項５のいずれかに記載のプロジェクタにおいて、
前記第１の導入口および前記第２の導入口の開口面は、当該プロジェクタを所定位置に設置した際に当該プロジェクタの自重が掛かる方向に平面視で前記第１の空間および前記第２の空間と干渉しないように形成されていることを特徴とするプロジェクタ。
【請求項７】
請求項１から請求項６のいずれかに記載のプロジェクタにおいて、
前記ランプハウジングには、前記吸入側ダクトの基端部分に沿って延出し、当該プロジェクタを所定位置に設置した際に当該プロジェクタの自重が掛かる方向と逆方向に突出する突出部が形成され、
前記光源装置を前記外装筺体に設置した状態では、前記ランプハウジングにおける前記自重が掛かる方向と逆方向側の端面、前記突出部、および前記外装筺体により、前記光源装置における前記自重が掛かる方向と逆方向側に第３の空間が形成され、
前記突出部には、前記第３の空間の空気を前記吸入側ダクト内部に向けて流通させるための開口部が形成されていることを特徴とするプロジェクタ。
【請求項８】
請求項１から請求項７のいずれかに記載のプロジェクタにおいて、
前記光源装置から前記投射光学装置に至る光路は、前記外装筺体の一方の側面近傍から前記外装筺体の背面および前記外装筺体の他方の側面に沿う平面視Ｌ字形状を有し、
前記外装筺体の前記一方の側面には、前記排気ファンから吐出された空気を当該プロジェクタ外部に排出するための排気口が形成され、
前記排気ファンは、前記光源装置から前記投射光学装置に至る光路の平面視Ｌ字内側部分に配設され、前記排気ファンの吐出口が前記排気口側に向き前記投射光学装置の投射方向に直交する平面に対して傾斜するように配設されていることを特徴とするプロジェクタ。
【請求項９】
請求項８に記載のプロジェクタにおいて、
前記排気口には、当該プロジェクタ外部に排出される空気を整流する複数の整流板を有するルーバが設けられ、
前記複数の整流板のうち少なくともいずれかの整流板は、前記整流板の板面が前記外装筺体の前記一方の側面に直交する平面に対して前記排気ファンにおける空気の吐出方向に向けて傾斜するように形成されていることを特徴とするプロジェクタ。
【請求項１０】
請求項１から請求項９のいずれかに記載のプロジェクタにおいて、
前記ランプハウジングは、前記光源ランプを支持するインナーハウジングと、前記インナーハウジングを前記外装筺体に対する所定位置に設置するアウターハウジングとで構成され、
前記第１の排出口、前記第２の排出口および前記吸入側ダクトは、前記アウターハウジングに形成されていることを特徴とするプロジェクタ。
【発明の詳細な説明】
【技術分野】
【０００１】
本発明は、プロジェクタに関する。
【背景技術】
【０００２】
従来、光源から射出された光束を画像情報に応じて変調して光学像を形成し、該光学像を拡大投射するプロジェクタが知られている。
近年では、高精細な投影画像を得るために、光源の高輝度化が図られている。そして、このような構成では、光源装置が高温になりやすく、光源装置自体の寿命の低下、さらには、光源装置の熱がプロジェクタ内部の他の部材に伝達して該他の部材の寿命低下を引き起こしやすい。このため、光源装置の冷却効率を向上させる技術が要望されている。
従来の光源装置の冷却構造としては、以下の構造が提案されている（例えば、特許文献１参照）。
特許文献１に記載の冷却構造では、光源装置内部に冷却空気を導入するシロッコファンと、プロジェクタ内部の空気を外部に排出するための排気ファンとが用いられている。そして、シロッコファンから光源装置内部に導入された冷却空気は、光源装置を構成する発光管を冷却した後、軸流ファンによって吸入されてプロジェクタ外部に排出される。
【０００３】
【特許文献１】特開２００３−２１５７１１号公報
【発明の開示】
【発明が解決しようとする課題】
【０００４】
ところで、光源装置は、発光管のみならず、発光管からの放射熱によりリフレクタも高温化しやすい。特許文献１に記載の冷却構造では、発光管にのみ冷却空気を送風するため、リフレクタを効果的に冷却することが難しく、すなわち、光源装置を効率的に冷却することが難しい。
また、特許文献１に記載の冷却構造では、シロッコファンおよび排気ファンの２つの冷却ファンを用いる必要があり、プロジェクタの小型化が図れない。例えば、プロジェクタの小型化を図るためにシロッコファンを省略し排気ファンのみで光源装置を冷却することが考えられるが、この場合には、光源装置内部の空気を効果的に外部へと排出することができず、光源ランプにて温められた空気が光源装置内部に滞留してしまい、結果として、光源装置を効率的に冷却できない。また、例えば、プロジェクタの小型化を図るために排気ファンを省略しシロッコファンのみで光源装置を冷却することが考えられるが、この場合には、排気ファンにて他の部材、例えば、液晶パネルおよび電源ユニット等を介した空気をプロジェクタ外部に排出することができず、プロジェクタ内部に他の部材にて温められた空気が滞留してしまい、結果として、プロジェクタを効率的に冷却できない。
【０００５】
本発明の目的は、小型化を図れかつ、冷却効率の向上が図れるプロジェクタを提供することにある。
【課題を解決するための手段】
【０００６】
本発明のプロジェクタは、光源装置と、前記光源装置から射出された光束を画像情報に応じて変調する光変調装置と、前記変調された光束を拡大投射する投射光学装置と、前記光源装置、前記光変調装置、および前記投射光学装置を内部に収納配置する外装筺体と、前記外装筺体内部の空気を外部に排出する排気ファンとを備えたプロジェクタであって、前記光源装置は、一対の電極間で放電発光が行われる発光管、および前記発光管から放射された光束を一定方向に揃えて射出するリフレクタを有する光源ランプと、前記光源ランプを支持し、前記光源ランプを支持した状態で前記光源ランプを囲い前記リフレクタの光路前段側および光路後段側に互いに独立した第１の空間および第２の空間が内部に形成されるランプハウジングとを備え、前記ランプハウジングには、前記第１の空間に空気を導入するための第１の導入口、および前記第１の空間の空気を外部に排出するための第１の排出口と、前記第２の空間に空気を導入するための第２の導入口、および前記第２の空間の空気を外部に排出するための第２の排出口と、前記第１の排出口および前記第２の排出口を平面的に囲い、前記光源ランプから離間する方向に突出して先端部分が前記排気ファンの吸入口と接続する吸入側ダクトとが形成されていることを特徴とする。
【０００７】
本発明では、プロジェクタの光源装置を構成するランプハウジングは、光源ランプを支持した状態で第１の空間および第２の空間が内部に形成される。また、ランプハウジングには、第１の導入口、第１の排出口、第２の導入口、および第２の排出口が形成されている。このため、第１の空間および第２の空間には、空気が流通する独立した空気流通路がそれぞれ形成される。したがって、各空気流通路を流通する空気により、第１の空間に配置される発光管、および第２の空間に配置されるリフレクタの背面側の双方を効率的に冷却でき、従来の構成と比較して、光源装置の冷却効率の向上が図れる。また、光源装置の冷却効率の向上が図れるため、プロジェクタの駆動停止後の一定期間、排気ファンを駆動させるクールダウンを実施する必要がなく、プロジェクタの静音化を図れる。
【０００８】
また、ランプハウジングには排気ファンの吸入口と接続する吸入側ダクトが形成されているので、第１の空間および第２の空間の各空気流通路を辿って第１の排出口および第２の排出口から排出される空気を外部に漏れることなく直接、排気ファンに導くことができる。このため、従来のように光源装置の冷却構造としてシロッコファンおよび排気ファンの２つの冷却ファンを必要とせず、１つの排気ファンのみで構成でき、部材の省略からプロジェクタの小型化および低コスト化を図れる。
さらに、他の部材、例えば、光変調装置等を介した空気も、第１の導入口および第２の導入口〜第１の空間および第２の空間〜第１の排出口および第２の排出口〜吸入側ダクト〜排気ファンの流路を辿ってプロジェクタ外部に排出することができるため、光源装置の冷却構造として１つの排気ファンのみで構成した場合であっても、プロジェクタ内部に他の部材にて温められた空気が滞留することがなく、プロジェクタ全体の冷却効率が低下することがない。
【０００９】
本発明のプロジェクタでは、前記外装筺体には、前記排気ファンから吐出された空気を当該プロジェクタ外部に排出するための排気口が形成され、前記第１の排出口は、前記ランプハウジングの側面に平面視で前記発光管と干渉する位置に形成され、前記吸入側ダクトは、前記第１の排出口から排出された空気の流通方向を変更する形状を有し、前記発光管から前記第１の排出口を介して前記排気口に向かう光を遮断し、前記第２の排出口は、当該プロジェクタを所定位置に設置した際に当該プロジェクタの自重が掛かる方向を下方向、および前記自重が掛かる方向と逆方向を上方向とした場合に、前記光源ランプの前記上方向側端面より前記上方向側または前記下方向側端面より前記下方向側の少なくともいずれか一方の側に対応する前記ランプハウジングの側面に形成されていることが好ましい。
【００１０】
本発明によれば、第１の排出口がランプハウジングの側面に平面視で発光管と干渉する位置に形成されているため、第１の空間の発光管近傍の空気を円滑に流通させることができ、光源装置の冷却効率をさらに向上できる。
また、吸入側ダクトは、発光管から第１の排出口を介して排気口に向かう光を遮断する形状を有している。さらに、上述した位置に第２の排出口を形成することで、ランプハウジングの側面から第２の排出口を介してランプハウジング内部を覗いた場合に、光源ランプが見えない構造となっている。このため、プロジェクタの動作中に、第１の排出口および第２の排出口から排気口を介して光が漏れることがなく、投影画像を観賞する観賞者に不快感を与えることがない。
【００１１】
本発明のプロジェクタでは、前記ランプハウジングの側面は、当該プロジェクタを所定位置に設置した際に当該プロジェクタの自重が掛かる方向に段部が形成された段付形状を有し、前記第２の排出口は、前記段部に形成されていることが好ましい。
本発明によれば、第２の排出口がランプハウジングの側面の段部に形成されているので、光源ランプから第２の排出口を介して光が漏れることを効果的に防止できる。
また、第２の排出口を段部に形成することで、排気ファンをランプハウジングに対して近接配置した場合でも、第２の排出口と排気ファンの吸入口とを所定の距離だけ離間した状態に位置付けることができる。このため、排気ファンをランプハウジングに対して近接配置した場合でも、排気ファンの仕様で規定された離間距離（空気を効果的に吸入可能とする距離）を十分に確保し、第１の空間および第２の空間内の空気を効果的に吸入して光源装置の冷却効率を十分に維持できる。また、排気ファンをランプハウジングに対して近接配置できるため、プロジェクタの小型化も図れる。
【００１２】
本発明のプロジェクタでは、前記排気ファンは、複数の羽根板が回転軸を中心として回転することで空気の吸入および吐出を実施するものであり、前記第１の排出口および前記第２の排出口は、前記排気ファンの前記複数の羽根板の先端側に対向する位置に形成されていることが好ましい。
ところで、排気ファンとしては、回転中心よりも複数の羽根板の先端側の方が空気の吸入量が多いことが知られている。
本発明では、第１の排出口および第２の排出口が排気ファンの複数の羽根板の先端側に対向する位置に形成されているので、第１の排出口および第２の排出口〜吸入側ダクト〜排気ファンに至る空気の吸入量を効果的に増加させ、第１の空間および第２の空間の空気をより円滑に流通させることができ、光源装置の冷却効率をさらに一層向上させることができる。
【００１３】
本発明のプロジェクタでは、前記第１の導入口および前記第２の導入口のうち少なくともいずれか一方の導入口は、当該プロジェクタを所定位置に設置した際に当該プロジェクタの自重が掛かる方向と逆方向側に形成されていることが好ましい。
ところで、プロジェクタの駆動時には、光源装置の点灯により熱せられた空気は、上方側、すなわち、プロジェクタの自重が掛かる方向と逆方向側に対流する。このため、ランプハウジングが光源ランプを囲むように形成されている場合には、ランプハウジングの上方側端面、すなわち、プロジェクタの自重が掛かる方向と逆方向側の端面が高温化しやすい。
本発明では、第１の導入口および第２の導入口のうち少なくともいずれか一方の導入項がプロジェクタの自重が掛かる方向と逆方向側に形成されているので、排気ファンの駆動により、第１の導入口側および第２の導入口側に空気が引き寄せられる過程で、該空気によりランプハウジングにおける上方側端面、すなわち、プロジェクタの自重が掛かる方向と逆方向側の端面を冷却することができる。このため、ランプハウジングの変形等を防止し、光源装置の冷却効率をさらに一層向上させることができる。
【００１４】
本発明のプロジェクタでは、前記第１の導入口および前記第２の導入口の開口面は、当該プロジェクタを所定位置に設置した際に当該プロジェクタの自重が掛かる方向に平面視で前記第１の空間および前記第２の空間と干渉しないように形成されていることが好ましい。
本発明では、上述したように第１の導入口および第２の導入口を形成することで、プロジェクタの自重が掛かる方向から第１の導入口および第２の導入口を介してランプハウジング内部を覗いた場合に、第１の空間および第２の空間が見えない構造となっている。このため、光源装置の点灯により熱せられ、上方側、すなわち、プロジェクタの自重が掛かる方向と逆方向に対流する空気が第１の導入口および第２の導入口を介してランプハウジング外部に排出されることを防止できる。したがって、光源装置の上方側、すなわち、プロジェクタの自重が掛かる方向と逆方向側に配設される部材、例えば、外装筺体に前記対流した空気が触れることがなく、外装筺体の高温化、および外装筺体の高温化による変形等を防止できる。
【００１５】
本発明のプロジェクタでは、前記ランプハウジングには、前記吸入側ダクトの基端部分に沿って延出し、当該プロジェクタを所定位置に設置した際に当該プロジェクタの自重が掛かる方向と逆方向に突出する突出部が形成され、前記光源装置を前記外装筺体に設置した状態では、前記ランプハウジングにおける前記自重が掛かる方向と逆方向側の端面、前記突出部、および前記外装筺体により、前記光源装置における前記自重が掛かる方向と逆方向側に第３の空間が形成され、前記突出部には、前記第３の空間の空気を前記吸入側ダクト内部に向けて流通させるための開口部が形成されていることが好ましい。
本発明では、光源装置を外装筺体に設置した状態では、ランプハウジングにおける上方側端面、すなわち、ランプハウジングにおけるプロジェクタの自重が掛かる方向と逆方向側の端面と、ランプハウジングに形成された突出部、および外装筺体により、光源装置の上方側、すなわち、光源装置におけるプロジェクタの自重が掛かる方向と逆方向側に第３の空間が形成される。そして、突出部には、第３の空間の空気を吸入側ダクト内部に向けて流通させるための開口部が形成されているので、光源装置の駆動により熱せられた第３の空間の空気を排気ファンに吸入させることができる。このため、ランプハウジングにおける上方側端面、および外装筺体における光源装置の上方側に位置する領域部分の高温化や、ランプハウジングおよび外装筺体の高温化による変形等を防止できる。
【００１６】
本発明のプロジェクタでは、前記光源装置から前記投射光学装置に至る光路は、前記外装筺体の一方の側面近傍から前記外装筺体の背面および前記外装筺体の他方の側面に沿う平面視Ｌ字形状を有し、前記外装筺体の前記一方の側面には、前記排気ファンから吐出された空気を当該プロジェクタ外部に排出するための排気口が形成され、前記排気ファンは、前記光源装置から前記投射光学装置に至る光路の平面視Ｌ字内側部分に配設され、前記排気ファンの吐出口が前記排気口側に向き前記投射光学装置の投射方向に直交する平面に対して傾斜するように配設されていることが好ましい。
本発明では、排気口は、外装筺体の側面のうち、光源装置が配設される側の側面に形成される。また、排気ファンは、光源装置から投射光学装置に至る光路の平面視Ｌ字内側部分に配設され、その吐出口が排気口側に向き投射光学装置の投射方向に直交する平面に対して傾斜するように配設されている。このような構成を採用することで、従来のように排気ファンの吐出口を投射光学装置の投射方向に直交する平面に沿うように配設する構成と比較して、排気ファンから排気口に至る流路を短くでき、プロジェクタの小型化を図れる。
【００１７】
本発明のプロジェクタでは、前記排気口には、当該プロジェクタ外部に排出される空気を整流する複数の整流板を有するルーバが設けられ、前記複数の整流板のうち少なくともいずれかの整流板は、前記整流板の板面が前記外装筺体の前記一方の側面に直交する平面に対して前記排気ファンにおける空気の吐出方向に向けて傾斜するように形成されていることが好ましい。
本発明によれば、排気口に設けられたルーバを構成する複数の整流板のうち少なくともいずれかの整流板は、その板面が排気口が形成された外装筺体の側面に直交する平面に対して排気ファンによる空気の吐出方向に向けて傾斜するように形成されているので、排気口を介してプロジェクタ外部に排出される排気流をプロジェクタの前方側で投射方向から離間する側に整流することができる。したがって、プロジェクタの背面側や側面側に位置する観賞者から外れる方向に排気流を整流でき、観賞者に不快感を与えることがない。
【００１８】
本発明のプロジェクタでは、前記ランプハウジングは、前記光源ランプを支持するインナーハウジングと、前記インナーハウジングを前記外装筺体に対する所定位置に設置するアウターハウジングとで構成され、前記第１の排出口、前記第２の排出口および前記吸入側ダクトは、前記アウターハウジングに形成されていることが好ましい。
本発明によれば、ランプハウジングがインナーハウジングおよびアウターハウジングで構成されているので、第１の空間および第２の空間を簡単な構成で形成することができる。また、アウターハウジングに第１の排出口、第２の排出口および吸入側ダクトが形成されているので、発光管の寿命等により光源ランプを交換する場合でも、吸入側ダクトと排気ファンとの接続状態を解除せずに、アウターハウジングから光源ランプが支持されたインナーハウジングを容易に取り外すことができ、光源ランプの交換を容易に実施できる。
【発明を実施するための最良の形態】
【００１９】
以下、本発明の実施の一形態を図面に基づいて説明する。
〔１．外観構成〕
図１および図２は、プロジェクタ１の外観を示す斜視図である。具体的に、図１は、プロジェクタ１を前面上方側から見た斜視図である。図２は、プロジェクタ１を背面上方側から見た斜視図である。
プロジェクタ１は、光源から射出される光束を画像情報に応じて変調して光学像を形成し、形成した光学像をスクリーン（図示略）上に拡大投射するものである。このプロジェクタ１は、図１または図２に示すように、略直方体状の外装筺体２、およびこの外装筺体２から露出する投射光学装置としての投射レンズ３を備える。
投射レンズ３は、筒状の鏡筒内に複数のレンズが収納された組レンズとして構成され、プロジェクタ１の装置本体により画像情報に応じて変調された光学像を拡大投射する。
【００２０】
外装筺体２は、合成樹脂製の筺体であり、プロジェクタ１の装置本体を収納する。この外装筺体２は、図１または図２に示すように、装置本体の上部部分、前面部分の一部、側面部分の一部、および背面部分の一部を覆うアッパーケース２１と、装置本体の下部部分、前面部分の一部、側面部分の一部、および背面部分の一部を覆うロアーケース２２とを備える。
アッパーケース２１は、図１または図２に示すように、外装筺体２の上面、前面の一部、側面の一部、および背面の一部をそれぞれ形成する上面部２１Ａ、前面部２１Ｂ（図１）、側面部２１Ｃ，２１Ｄ、および背面部２１Ｅ（図２）を含んで構成される。
【００２１】
上面部２１Ａは、図１または図２に示すように、平面視略矩形形状を有し、平面視略中央部分から前面側および背面側にかけてなだらかに湾曲して凸曲面形状を有し、外装筺体２の上面を形成する。
この上面部２１Ａにおいて、前方から見て右側部分には、図１または図２に示すように、外装筺体２の内部側に窪む凹部２３が形成され、凹部２３の底部分に内部と貫通する開口部２３１を有している。
この上面部２１Ａにおいて、平面視略中央部分には、図１または図２に示すように、プロジェクタ１の起動・調整操作を実施する操作パネル２４が左右方向に延びるように設けられている。操作パネル２４の操作ボタン２４１を適宜押下すると、操作ボタン２４１内部に配置される図示しない回路基板に実装されたタクトスイッチと接触し、所望の操作が可能となる。また、前記回路基板には、図示しないＬＥＤ（Light Emitting Diode）が取り付けられており、所定の操作に応じて発光するようになっている。
なお、前述した操作パネル２４の回路基板は、後述する制御基板と電気的に接続され、操作ボタン２４１の押下に伴う操作信号は、制御基板に出力される。
【００２２】
また、この上面部２１Ａにおいて、後方側の前方から見て左側部分には、図１または図２に示すように、平面視矩形状の開口２５１が形成され、該開口２５１に着脱自在に平面視矩形板状の蓋体２５２が取り付けられている。
図３は、蓋体２５２をアッパーケース２１から取り外した状態を示す図である。
蓋体２５２を取り外した場合には、図３に示すように、外装筺体２内部の装置本体を構成する後述する光源装置の一部が露出する。
【００２３】
前面部２１Ｂは、図１に示すように、上面部２１Ａの短辺方向前方側端縁から略垂下し、外装筺体２の前面の一部を形成する。
この前面部２１Ｂにおいて、前方から見て右側部分には、図１に示すように、外装筺体２の内部側に窪む凹部２６が形成され、凹部２６の底部分に内部と貫通する図示しない開口部を有している。そして、凹部２６は、図１に示すように、上述した上面部２１Ａに形成された凹部２３と連続するように形成され、各凹部２３，２６の底部分に形成された開口部２３１を介して投射レンズ３の先端部分が露出する。
また、この前面部２１Ｂにおいて、前方から見て左側部分には、図１に示すように、プロジェクタ１内部の空気を外部に排出するための排気口２７が形成されている。
さらに、この前面部２１Ｂにおいて、前方から見て凹部２６の右側部分には、図１に示すように、リモコン受光窓２８が形成されている。そして、このリモコン受光窓２８の内側には、図示しないリモートコントローラからの操作信号を受信する図示しないリモコン受光モジュールが配置されている。
なお、リモートコントローラには、前述した操作パネル２４に設けられる起動スイッチ、調整スイッチ等と同様のものが設けられ、リモートコントローラを操作すると、この操作に応じた赤外線信号がリモートコントローラから出力され、赤外線信号は、リモコン受光窓２８を介してリモコン受光モジュールで受光され、後述する制御基板で処理される。
【００２４】
側面部２１Ｃ，２１Ｄは、図１または図２に示すように、上面部２１Ａの長辺方向両端端縁からそれぞれ略垂下し、外装筺体２の側面の一部を形成する。
このうち、側面部２１Ｃにおいて、前方側には、図１に示すように、プロジェクタ１内部の空気を外部に排出するための排気口２９Ａが形成されている。なお、排気口２９Ａの詳細な構成については、後述する。
【００２５】
背面部２１Ｅは、図２に示すように、上面部２１Ａの短辺方向後方側端縁から略垂下し、外装筺体２の背面の一部を形成する。
この背面部２１Ｅにおいて、後方側から見て左側の上方部分には、図２に示すように、断面略コ字状の凹部３０が形成されている。そして、この凹部３０の底部分には、図２に示すように、複数の孔３０１が形成され、これら複数の孔３０１を介して、外部の電子機器からの画像信号、音声信号等を入力するための複数の接続端子３０２が外部に露出している。この背面部２１Ｅの内側には、接続端子３０２から入力される信号を処理する図示しないインターフェース基板が配置されている。
なお、前記インターフェース基板は、後述する制御基板と電気的に接続され、前記インターフェース基板にて処理された信号は、制御基板に出力される。
【００２６】
また、この背面部２１Ｅにおいて、凹部３０の下方側で長辺方向略中央部分には、図２に示すように、プロジェクタ１外部に音声を出力するためのスピーカ孔３１が形成されている。このスピーカ孔３１の内側には、後述する制御基板により制御され、所定の音声を出力するスピーカが配置されている。
【００２７】
ロアーケース２２は、図１または図２に示すように、外装筺体２の底面、前面の一部、側面の一部、および背面の一部をそれぞれ形成する、底面部２２Ａ、前面部２２Ｂ（図１）、側面部２２Ｃ，２２Ｄ、および背面部２２Ｅ（図２）を含んで構成される。
底面部２２Ａは、平面視略矩形状の平坦面で構成され、外装筺体２の底面を形成する。
この底面部２２Ａにおいて、前方側長辺方向略中央部分には、図１に示すように、プロジェクタ１の脚部を構成する調整脚部３２が形成されている。
そして、この調整脚部３２は、回転することで底面部２２Ａの面外方向に進退自在に突出し、プロジェクタ１の投射時におけるプロジェクタ１の傾斜位置を調整可能としている。
また、この底面部２２Ａにおいて、投射レンズ３の下方側には、外装筐体２の内外を連通する吸気口３３（図４参照）が形成されている。
この吸気口３３は、外装筺体２外部の冷却空気を外装筺体２内部に取り込む開口であり、この吸気口３３には、複数の開口が形成されたカバー３３１（図４参照）が取り付けられている。
【００２８】
前面部２２Ｂ、側面部２２Ｃ，２２Ｄ、および背面部２２Ｅは、底面部２２Ａの各端縁から上方に立設するものであり、アッパーケース２１の前面部２１Ｂ、側面部２１Ｃ，２１Ｄ、および背面部２１Ｅとそれぞれ接続し、外装筺体２の前面、側面、および背面を形成する。
これらのうち、側面部２２Ｃにおいて、前方側には、図１に示すように、アッパーケース２１の排気口２９Ａと同様に、プロジェクタ１内部の空気を外部に排出するための排気口２９Ｂが形成されている。なお、排気口２９Ｂの詳細な構成については、後述する。
また、背面部２１Ｅにおいて、後方側から見て左側部分には、図２に示すように、外装筺体２の内側に窪み、底面部分に矩形状の開口３４が形成されている。そして、この開口３４を介して内部のインレットコネクタ３５が露出し、外部の電力をプロジェクタ１の装置本体に供給可能としている。
【００２９】
〔２．内部構成〕
図４は、プロジェクタ１の内部構成を示す図である。具体的に、図４は、図１の状態からアッパーケース２１および投射レンズ３を取り外した状態を示す図である。
外装筺体２の内部には、図４に示すように、プロジェクタ１の装置本体が収容されており、この装置本体は、外装筺体２の長手方向に沿って左右方向に延び、一方の端部が前方に延びる平面視略Ｌ字状の光学ユニット４と、外装筺体２内部の空気を外部に排出する排気装置５とを備えている。
なお、図４において、図示は省略するが、光学ユニット４の上方にはプロジェクタ１全体を制御する制御基板が配置され、光学ユニット４のＬ字内側部分で外装筺体２の前面に沿う位置には外部から供給された電力を各構成部材に供給する電源ユニットが配置され、投射レンズ３の側方には外装筺体２外部の冷却空気を外装筺体２内部に導入する一対のシロッコファンが配置されているものとする。
【００３０】
〔2-1．光学ユニットの詳細な構成〕
図５は、光学ユニット４を模式的に示す平面図である。
図６は、光学ユニット４を下方側から見た斜視図である。
光学ユニット４は、前記制御基板による制御の下、画像情報に応じて画像光を形成する。この光学ユニット４は、図５に示すように、光源装置４１と、均一照明光学系４２と、色分離光学系４３と、リレー光学系４４と、光学装置４５と、これら光学部品４２〜４５を内部に収納する光学部品用筐体４６とを備える。
【００３１】
光源装置４１は、前記制御基板による制御の下、点灯して平行光を均一照明光学系４２に向けて射出する。この光源装置４１は、図５に示すように、一対の電極間で放電発光が行われる発光管４１１と、この発光管４１１から射出された放射光を反射する楕円リフレクタ４１２と、楕円リフレクタ４１２により反射された光束を平行光とする平行化凹レンズ４１３と、これら各部材４１１〜４１３を収納配置するランプハウジング４１４とを含んで構成される。
発光管４１１は、図５に示すように、中央部分に位置し略球状に膨出する発光部４１１１と、この発光部４１１１の両側に延びる一対の封止部４１１２とで構成される。
発光部４１１１には、略球状の放電空間が形成され、この放電空間内に、図示しない一対の電極と、水銀、希ガス、および少量のハロゲンが封入される。
一対の封止部４１１２の内部には、前記一対の電極と電気的に接続されるモリブデン製の図示しない金属箔が挿入され、ガラス材料等で封止されている。前記各金属箔には、さらに電極引出線としての図示しないリード線が接続され、前記リード線は、発光管４１１の外部まで延出している。そして、前記リード線に電圧を印加すると、前記金属箔を介して前記一対の電極間に電位差が生じて放電が生じ、発光部４１１１内部が発光する。
楕円リフレクタ４１２は、図５に示すように、発光管４１１の基端側の一方の封止部４１１２が挿通され発光管４１１を支持する筒状の首状部４１２１と、この首状部４１２１から拡がる凹曲面状の反射部４１２２とを備えた透光性を有するガラス製の一体成形品である。
なお、本実施形態の光源装置４１では、楕円リフレクタ４１２と平行化凹レンズ４１３の組み合わせにより反射光を平行化しているが、放物面リフレクタを用いて反射光を平行化してもよい。また、光源装置４１の具体的な構成については、後述する。
【００３２】
均一照明光学系４２は、光源装置４１から射出された光束を、光学装置４５を構成する後述する液晶パネルの画像形成領域に略均一に照明するための光学系である。この均一照明光学系４２は、図５に示すように、第１レンズアレイ４２１と、第２レンズアレイ４２２と、偏光変換素子４２３と、重畳レンズ４２４とを備える。
第１レンズアレイ４２１は、光軸方向から見て略矩形状の輪郭を有する小レンズがマトリクス状に配列された構成を有している。各小レンズは、光源装置４１から射出される光束を、複数の部分光束に分割している。
第２レンズアレイ４２２は、第１レンズアレイ４２１と略同様な構成を有しており、小レンズがマトリクス状に配列された構成を有している。この第２レンズアレイ４２２は、重畳レンズ４２４とともに、第１レンズアレイ４２１の各小レンズの像を光学装置４５の後述する液晶パネル上に結像させる機能を有している。
【００３３】
偏光変換素子４２３は、第２レンズアレイ４２２と重畳レンズ４２４との間に配置され、第２レンズアレイ４２２からの光を略１種類の偏光光に変換するものである。
具体的に、偏光変換素子４２３によって略１種類の偏光光に変換された各部分光は、重畳レンズ４２４によって最終的に光学装置４５の後述する液晶パネル上にほぼ重畳される。偏光光を変調するタイプの液晶パネルを用いたプロジェクタでは、１種類の偏光光しか利用できないため、ランダムな偏光光を発する光源装置４１からの光の略半分を利用できない。このため、偏光変換素子４２３を用いることで、光源装置４１からの射出光を略１種類の偏光光に変換し、光学装置４５での光の利用効率を高めている。
【００３４】
色分離光学系４３は、図５に示すように、２枚のダイクロイックミラー４３１，４３２と、反射ミラー４３３とを備え、ダイクロイックミラー４３１，４３２により均一照明光学系４２から射出された複数の部分光束を、赤、緑、青の３色の色光に分離する機能を有している。
リレー光学系４４は、図５に示すように、入射側レンズ４４１、リレーレンズ４４３、および反射ミラー４４２，４４４を備え、色分離光学系４３で分離された赤色光を光学装置４５の後述する赤色光用の液晶パネルまで導く機能を有している。
【００３５】
この際、色分離光学系４３のダイクロイックミラー４３１では、均一照明光学系４２から射出された光束の青色光成分が反射するとともに、赤色光成分と緑色光成分とが透過する。ダイクロイックミラー４３１によって反射した青色光は、反射ミラー４３３で反射し、フィールドレンズ４２５を通って光学装置４５の後述する青色光用の液晶パネルに達する。このフィールドレンズ４２５は、第２レンズアレイ４２２から射出された各部分光束をその中心軸（主光線）に対して平行な光束に変換する。他の緑色光用、赤色光用の液晶パネルの光入射側に設けられたフィールドレンズ４２５も同様である。
【００３６】
ダイクロイックミラー４３１を透過した赤色光と緑色光のうちで、緑色光はダイクロイックミラー４３２によって反射し、フィールドレンズ４２５を通って光学装置４５の後述する緑色光用の液晶パネルに達する。一方、赤色光はダイクロイックミラー４３２を透過してリレー光学系４４を通り、さらにフィールドレンズ４２５を通って光学装置４５の後述する赤色光用の液晶パネルに達する。なお、赤色光にリレー光学系４４が用いられているのは、赤色光の光路の長さが他の色光の光路の長さよりも長いため、光の発散等による光の利用効率の低下を防止するためである。すなわち、入射側レンズ４４１に入射した部分光束をそのまま、フィールドレンズ４２５に伝えるためである。
【００３７】
光学装置４５は、図５に示すように、光変調装置としての３枚の液晶パネル４５１（赤色光用の液晶パネルを４５１Ｒ、緑色光用の液晶パネルを４５１Ｇ、青色光用の液晶パネルを４５１Ｂとする）と、これら液晶パネル４５１の光束入射側および光束射出側にそれぞれ配置される入射側偏光板４５２および射出側偏光板４５３と、クロスダイクロイックプリズム４５４とを備える。
液晶パネル４５１は、具体的な図示は省略するが、一対の透明なガラス基板に電気光学物質である液晶が密閉封入された構成を有し、前記制御基板から出力される駆動信号に応じて、前記液晶の配向状態が制御され、入射側偏光板４５２から射出された偏光光束の偏光軸を変更する。
入射側偏光板４５２は、偏光変換素子４２３で偏光方向が略一方向に揃えられた各色光が入射され、入射された光束のうち、偏光変換素子４２３で揃えられた光束の偏光軸と略同一方向の偏光光のみ透過させ、その他の光束を吸収するものである。この入射側偏光板４５２は、例えば、サファイアガラスまたは水晶等の透光性基板上に偏光膜が貼付された構成を有している。
射出側偏光板４５３は、入射側偏光板４５２と略同様の構成であり、液晶パネル４５１から射出された光束のうち、入射側偏光板４５２における光束の透過軸と直交する偏光軸を有する光束のみ透過させ、その他の光束を吸収するものである。
そして、上述した液晶パネル４５１、入射側偏光板４５２、および射出側偏光板４５３にて光変調素子を構成し、該光変調素子にて光束を画像情報に応じて変調して光学像を形成する。
【００３８】
クロスダイクロイックプリズム４５４は、前記光変調素子から射出された色光毎に変調された光学像を合成してカラー画像を形成する光学素子である。このクロスダイクロイックプリズム４５４は、４つの直角プリズムを貼り合わせた平面視略正方形状をなし、直角プリズム同士を貼り合わせた界面には、２つの誘電体多層膜が形成されている。これら誘電体多層膜は、液晶パネル４５１Ｇから射出され射出側偏光板４５３を介した色光を透過し、液晶パネル４５１Ｒ，４５１Ｂから射出され射出側偏光板４５３を介した色光を反射する。このようにして、各光変調素子にて変調された各色光が合成されてカラー画像が形成される。
【００３９】
光学部品用筐体４６は、合成樹脂製の成形品であり、図５に示すように、光源装置４１から射出された光束を導入し、内部に導入した光束の照明光軸Ａが設定され、上述した光学部品４２〜４５を照明光軸Ａに対する所定位置に配置する。この光学部品用筐体４６は、図４または図６に示すように、部品収納部材４６１と、蓋状部材４６２とで構成される。
このうち、部品収納部材４６１は、光学部品用筐体４６の底面、前面、および側面をそれぞれ構成する容器形状を有し、内部に光学部品４２〜４５を収納配置する。
この部品収納部材４６１において、側面の前面部分には、図４に示すように、投射レンズ３を光学ユニット４に対して所定位置に設置するための投射レンズ設置部４６１Ａが形成されている。この投射レンズ設置部４６１Ａは、平面視略矩形状に形成され、平面視略中央部分には光学装置４５からの光束射出位置に対応して円形状の孔４６１Ｂが形成されており、光学ユニット４にて形成されたカラー画像が孔４６１Ｂを通して投射レンズ３にて拡大投射される。
また、この部品収納部材４６１において、底面には、図６に示すように、光学装置４５の各液晶パネル４５１位置に対応して３つの孔４６１Ｃが形成されている。そして、投射レンズ３の側方に配置される図示しない一対のシロッコファンにより吸気口３３を介して外装筺体２外部から内部に取り込まれた冷却空気は、図示しないダクトにより光学装置４５の下方側に導かれ、３つの孔４６１Ｃを介して光学部品用筐体４６内部に導入される。
蓋状部材４６２は、部品収納部材４６１の上面の開口部分を閉塞する。この蓋状部材４６２には、図４に示すように、光学装置４５の配設位置に対応して、切り欠き４６２Ａが形成され、光学部品用筐体４６内部に導入された冷却空気を外部に流出可能に構成されている。
【００４０】
〔2-2．光源装置および排気装置の詳細な構成〕
図７および図８は、光源装置４１および排気装置５の構成を示す斜視図である。具体的に、図７は、光源装置４１および排気装置５を上方側から見た斜視図である。図８は、光源装置４１および排気装置５を下方側から見た斜視図である。なお、図７および図８では、説明の便宜上、光源装置４１から射出される光束の光軸方向をＺ軸とし、該Ｚ軸に直交しかつ、互いに直交する２つの軸をそれぞれＸ軸（水平軸）、Ｙ軸（垂直軸）とする。
【００４１】
〔2-2-1．光源装置の詳細な構成〕
光源装置４１は、図７および図８に示すように、排気装置５と接続して一体化するように構成される。
光源装置４１を構成するランプハウジング４１４は、発光管４１１、楕円リフレクタ４１２、および平行化凹レンズ４１３を内部に収納配置し、これら各部材４１１〜４１３を光学部品用筐体４６に対する所定位置に設置する。このランプハウジング４１４は、図７または図８に示すように、インナーハウジング４１５（図７）と、アウターハウジング４１６とを備える。
【００４２】
図９および図１０は、インナーハウジング４１５の構成を示す斜視図である。具体的に、図９は、インナーハウジング４１５を上方側から見た斜視図である。図１０は、インナーハウジング４１５を下方側から見た斜視図である。なお、図９および図１０でも、図７および図８と同様に、光源装置４１から射出される光束の光軸方向をＺ軸とし、該Ｚ軸に直交しかつ、互いに直交する２つの軸をそれぞれＸ軸およびＹ軸とする。
インナーハウジング４１５は、表面に反射防止処理が施された射出成型等により形成された成形品であり、発光管４１１、楕円リフレクタ４１２、および平行化凹レンズ４１３を支持し、これら各部材４１１〜４１３を一体化する。なお、以下では、説明の便宜上、発光管４１１、楕円リフレクタ４１２、平行化凹レンズ４１３、およびインナーハウジング４１５を一体化したユニットを、ランプユニット４１０とする。このインナーハウジング４１５は、図９または図１０に示すように、基体４１５１と、楕円リフレクタ支持部４１５２と、平行化凹レンズ支持部４１５３とで構成される。
【００４３】
基体４１５１は、図９または図１０に示すように、ランプユニット４１０を組み立てた状態で、楕円リフレクタ４１２の＋Ｙ軸方向側（プロジェクタ１を通常の状態で設置した際に、光源装置４１の自重が掛かる方向と逆方向側）を覆う板体から構成される。
この基体４１５１は、ランプユニット４１０を組み立てた状態で、楕円リフレクタ４１２の平面視での外形形状に対応して、図９または図１０に示すように、−Ｚ軸方向側の一方の角部分（−Ｘ軸方向側の角部分）が面取りされ、面取部４１５１Ａを有している。
また、この基体４１５１において、−Ｙ軸方向端面（プロジェクタ１を通常の状態で設置した際に、光源装置４１の自重が掛かる方向側の端面）における面取部４１５１Ａの反対側には、図１０に示すように、発光管４１１に接続される前記各リード線と接続し、アウターハウジング４１６の後述するコネクタと接続するコネクタ４１５１Ｂが−Ｙ軸方向に突出するように取り付けられている。
【００４４】
さらに、この基体４１５１において、＋Ｚ軸方向側のＸ軸方向略中央部分には、表裏を貫通する開口部４１５１Ｃが形成されている（図１７参照）。そして、この開口部４１５１Ｃには、図９に示すように、該開口部４１５１Ｃの周縁部分から＋Ｙ軸方向に突出し、楕円リフレクタ支持部４１５２および平行化凹レンズ支持部４１５３側に延出する第２の導入ダクト４１５１Ｄが形成されている。
第２の導入ダクト４１５１Ｄは、図９に示すように、第２の導入口４１５１Ｅが＋Ｚ軸方向に向くように形成されている。また、第２の導入口４１５１Ｅの＋Ｙ軸方向端縁は、図９に示すように、略中央部分が−Ｚ軸方向側に窪み凹曲面状に形成されている。すなわち、第２の導入口４１５１Ｅを介した冷却空気は、第２の導入ダクト４１５１Ｄにより−Ｚ軸方向から−Ｙ軸方向へと略９０°曲折して流通し、開口部４１５１Ｃを介して後述する第２の空間Ａ２（図１７参照）内に導入される。
さらにまた、この基体４１５１において、−Ｚ軸方向側には、図９に示すように、＋Ｙ軸方向に突出しＸ軸方向に延出する平面視略矩形状の突出部４１５１Ｆが形成されている。この突出部４１５１Ｆの−Ｚ軸方向端面は、図３に示すように、開口部４１５１Ｇが形成されている。そして、開口部４１５１Ｇの＋Ｙ軸方向端縁は、図３または図９に示すように、略中央部分が＋Ｚ軸方向側に窪み凹曲面状に形成されている。
すなわち、上述した第２の導入口４１５１Ｅおよび突出部４１５１Ｆは、Ｚ軸方向に指等にて把持可能に構成され、ランプユニット４１０を光学部品用筐体４６に着脱する際の取っ手としての機能も有する。
【００４５】
楕円リフレクタ支持部４１５２は、図１０に示すように、基体４１５１の＋Ｚ軸方向端縁から−Ｙ軸方向に突出し、突出した先端部分が互いに接続する平面視矩形枠状に形成されている。楕円リフレクタ支持部４１５２の枠状開口部分には、内側に突出する突出部４１５２Ａ（図１５参照）が形成され、突出部４１５２Ａの−Ｚ軸方向端面に楕円リフレクタ４１２を構成する反射部４１２２の先端部分が当接する。そして、図１０に示すように、ばね部材４１５２Ｄにて反射部４１２２を突出部４１５２Ａに向けて付勢することで、楕円リフレクタ４１２が楕円リフレクタ支持部４１５２に支持固定され、楕円リフレクタ支持部４１５２の枠状開口部分が発光管４１１および楕円リフレクタ４１２により閉塞される。
この楕円リフレクタ支持部４１５２において、Ｘ軸方向両端面の−Ｙ軸方向側には、図９または図１０に示すように、ＸＺ平面に略平行して突出し、ランプユニット４１０をアウターハウジング４１６に取り付けるための取付部４１５２Ｂ,４１５２Ｃがそれぞれ形成されている。そして、アウターハウジング４１６に対して取付部４１５２Ｂ,４１５２Ｃをねじ等の固定部材によりＹ軸方向に固定することで、ランプユニット４１０がアウターハウジング４１６に対して固定される。
【００４６】
平行化凹レンズ支持部４１５３は、図９または図１０に示すように、楕円リフレクタ支持部４１５２の＋Ｚ軸方向端面から＋Ｚ軸方向に向けて突出した略四角筒形状を有し、突出した先端部分にてインナーハウジング４１５の内面をランプ直接光から保護する遮光板金等にて平行化凹レンズ４１３をインナーハウジング４１５に押し付けて固定する。そして、平行化凹レンズ４１３を平行化凹レンズ支持部４１５３に設置した状態では、平行化凹レンズ支持部４１５３の＋Ｚ軸方向の開口部分が閉塞される。
以上のように、楕円リフレクタ支持部４１５２および平行化凹レンズ支持部４１５３に楕円リフレクタ４１２および平行化凹レンズ４１３を設置した状態では、平行化凹レンズ支持部４１５３により、楕円リフレクタ４１２の光路前段側と平行化凹レンズ４１３の光束入射側端面との間に第１の空間Ａ１（図１５参照）が形成される。
【００４７】
そして、上述した平行化凹レンズ支持部４１５３において、Ｘ軸方向両端面には、第１の空間Ａ１内外に空気を流通させるための平面視矩形状の開口部４１５３Ａ（図１５参照），４１５３Ｂ（図９、１０）が形成されている。
開口部４１５３Ａには、図９または図１０に示すように、該開口部４１５３Ａの周縁部分から＋Ｘ軸方向に突出する第１の導入ダクト４１５３Ｃが形成されている。
第１の導入ダクト４１５３Ｃは、図９または図１０に示すように、Ｙ軸方向から見て平面視略扇形状を有し、第１の導入口４１５３Ｄが＋Ｚ軸方向に向くように形成されている。すなわち、第１の導入口４１５３Ｄを介した冷却空気は、第１の導入ダクト４１５３Ｃにより−Ｚ軸方向から−Ｘ軸方向へと略９０°曲折して流通し、開口部４１５３Ａを介して第１の空間Ａ１内に導入される。
【００４８】
また、開口部４１５３Ｂには、図９または図１０に示すように、該開口部４１５３Ｂの周縁部分から−Ｘ軸方向に突出し、アウターハウジング４１６の後述する第１の排出口と接続する接続部４１５３Ｅが形成されている。
この接続部４１５３Ｅは、図９または図１０に示すように、開口部４１５３ＢのＹ軸方向両端縁側からＸＺ平面に略平行に突出する上方側接続部４１５３Ｆおよび下方側接続部４１５３Ｇと、開口部４１５３Ｂの−Ｚ軸方向端縁側からＸＹ平面に略平行に突出する整流板４１５３Ｈとで構成される。
これらのうち、整流板４１５３Ｈは、第１の空間Ａ１内から開口部４１５３Ｂを介してアウターハウジング４１６の第１の排出口へ向かう空気が第２の空間Ａ２側に向かうことを防止している。
【００４９】
図１１および図１２は、アウターハウジング４１６の構成を示す斜視図である。具体的に、図１１は、アウターハウジング４１６を、光路前段側から見た斜視図である。図１２は、アウターハウジング４１６を、光路後段側から見た斜視図である。なお、図１１および図１２でも、図７ないし図１０と同様に、光源装置４１から射出される光束の光軸方向をＺ軸とし、該Ｚ軸に直交しかつ、互いに直交する２つの軸をそれぞれＸ軸およびＹ軸とする。
アウターハウジング４１６は、外装筺体２のロアーケース２２の底面部分に取り付けられ、外装筺体２に取り付けられた状態で、上述した光学部品用筐体４６と接続する。このアウターハウジング４１６は、図１１または図１２に示すように、アウターハウジング本体４１６Ａと、ランプシールド板４１７とを備える。そして、ランプユニット４１０は、光学部品用筐体４６を介してプロジェクタ１内の所定位置に設置されるとともに、アウターハウジング本体４１６Ａと接続される。このような状態では、ランプユニット４１０からの光束は、光学部品用筐体４６に設置された照明光軸Ａに沿って射出される。
【００５０】
アウターハウジング本体４１６Ａは、表面に反射防止処理が施された射出成型等により形成された成形品であり、図７、図１１または図１２に示すように、ランプユニット４１０が取り付けられ、ランプユニット４１０の背面側および側方側を囲む平面視略コ字形状を有している。このアウターハウジング本体４１６Ａは、図１１または図１２に示すように、側壁部４１６１と、コネクタ部４１６２とで構成される。
側壁部４１６１は、図７、図１１または図１２に示すように、＋Ｙ軸方向に延出するとともに、インナーハウジング４１５の−Ｚ軸方向端縁、面取部４１５１Ａ、および−Ｘ軸方向端縁に平面視で沿う形状を有し、ランプユニット４１０の−Ｚ軸方向側および−Ｘ軸方向側を平面視で覆う部分である。
【００５１】
この側壁部４１６１において、＋Ｙ軸方向端縁には、図１１または図１２に示すように、インナーハウジング４１５の面取部４１５１Ａ、および−Ｘ軸方向端縁に対応する部分に、ランプユニット４１０が取り付けられた状態でランプユニット４１０の＋Ｙ軸方向端面よりも＋Ｙ軸方向に突出する突出部４１６１Ａが形成されている。
この突出部４１６１Ａには、図１１または図１２に示すように、表裏を貫通する開口部４１６１Ａ１が形成され、該開口部４１６１Ａ１を介してインナーハウジング４１５の＋Ｙ軸方向側の空気が後述する吸入側ダクトに向けて流通する。
【００５２】
また、この側壁部４１６１において、＋Ｚ軸方向側には、図１１または図１２に示すように、＋Ｘ軸方向側に膨出する平面視矩形状の膨出部４１６１Ｂが形成されている。
この膨出部４１６１Ｂは、上述したインナーハウジング４１５の接続部４１５３Ｅと接続する部分である。そして、この膨出部４１６１Ｂの＋Ｘ軸方向端面は、図１１に示すように、−Ｙ軸方向に２つの段部４１６１Ｂ１，４１６１Ｂ２を有する段付状に形成され、ランプユニット４１０がアウターハウジング４１６に設置された状態で、接続部４１５３Ｅを構成する上方側接続部４１５３Ｆおよび下方側接続部４１５３Ｇが各段部４１６１Ｂ１，４１６１Ｂ２上に当接する。
また、２つの段部４１６１Ｂ１，４１６１Ｂ２の間には、図１１に示すように、表裏を貫通するスリット状の第１の排出口４１６１Ｂ３が形成されている。そして、ランプユニット４１０がアウターハウジング４１６に設置された状態で、ランプユニット４１０内の第１の空間Ａ１から開口部４１５３Ｂを介してランプユニット４１０外に流通した空気が第１の排出口４１６１Ｂ３を介して後述する吸入側ダクトに向けて流通する。
さらに、この膨出部４１６１Ｂの−Ｚ軸方向側には、具体的な図示は省略するが、−Ｙ軸方向側にインナーハウジング４１５の取付部４１５２Ｂと当接してねじ等の固定部材が螺合する固定部が形成されている。
【００５３】
さらに、この側壁部４１６１において、インナーハウジング４１５の面取部４１５１Ａに対応しランプユニット４１０に対向する側の端面は、図１１に示すように、−Ｙ軸方向に段部４１６１Ｃを有する段付状に形成されている。また、この段部４１６１Ｃは、ランプユニット４１０がアウターハウジング４１６に設置された状態で、楕円リフレクタ４１２よりも平面視で−Ｙ軸方向側に位置するように形成されている。そして、この段部４１６１Ｃには、図１１に示すように、Ｙ軸方向に貫通する第２の排出口４１６１Ｄが形成されている。また、この側壁部４１６１において、段部４１６１Ｃの−Ｙ軸方向側には、表裏を貫通する第２の排出口４１６１Ｅが形成されている。
【００５４】
さらにまた、この側壁部４１６１において、ランプユニット４１０に離間する側の端面には、図１１または図１２に示すように、後述する吸入側ダクトを構成するダクト部４１６１Ｆが形成されている。
このダクト部４１６１Ｆは、図１１または図１２に示すように、側壁部４１６１における＋Ｙ軸方向側端縁からランプユニット４１０に離間する側にＸＺ平面に略平行に突出する第１突出部４１６１Ｆ１と、側壁部４１６１における膨出部４１６１Ｂの＋Ｚ軸方向側端縁からランプユニット４１０に離間する側にＸＹ平面に略平行に突出する第２突出部４１６１Ｆ２と、側壁部４１６１における−Ｚ軸方向側からランプユニット４１０に離間する側にＹＺ平面に略平行に突出する第３突出部４１６１Ｆ３とで構成される。
これらのうち、第２突出部４１６１Ｆ２は、図１１または図１２に示すように、突出した先端部分が略９０°曲折してＹＺ平面に略平行に延出する平面視Ｌ字形状を有している。また、第３突出部４１６１Ｆ３も同様に、図１１または図１２に示すように、突出した先端部分が略９０°曲折してＸＹ平面に略平行に延出する平面視Ｌ字形状を有している。そして、第２突出部４１６１Ｆ２および第３突出部４１６１Ｆ３は、平面視Ｌ字内側部分が互いに対向するように形成されている。
以上説明したダクト部４１６１Ｆは、図１１に示すように、上述した開口部４１６１Ａ１、第１の排出口４１６１Ｂ３、および第２の排出口４１６１Ｄ，４１６１Ｅを平面的に囲うように形成され、その先端部分が軸流ファン５１の吸入口５１１（図７、図１５参照）と接続する。
【００５５】
コネクタ部４１６２は、図１１または図１２に示すように、アウターハウジング４１６の＋Ｘ軸方向側に配設され、ランプユニット４１０をアウターハウジング４１６に設置した際に、ランプユニット４１０を構成するコネクタ４１５１Ｂと接続する部分であり、＋Ｙ軸方向に突出するように形成されている。このコネクタ部４１６２は、前記電源ユニットと電気的に接続され、コネクタ４１５１Ｂと接続することで、前記電源ユニットから供給された電力を発光管４１１に供給する。
また、このコネクタ部４１６２近傍位置には、具体的な図示は省略するが、−Ｙ軸方向側にインナーハウジング４１５の取付部４１５２Ｃと当接してねじ等の固定部材が螺合する固定部が形成されている。
【００５６】
ランプシールド板４１７は、アルミニウム等の金属製の板体で構成され、外装筺体２のロアーケース２２の底面に沿って配設され（図４）、ランプユニット４１０の−Ｙ軸方向側から外装筺体２の前面側に配置される前記電源ユニットの−Ｙ軸方向側まで延出する形状を有している。そして、このランプシールド板４１７は、アウターハウジング本体４１６Ａと接続してランプユニット４１０の−Ｙ軸方向側、および前記電源ユニットの−Ｙ軸方向側を平面視で覆う。また、このランプシールド板４１７の＋Ｘ軸方向端縁は、＋Ｙ軸方向に向けて略９０°曲折し、ランプユニット４１０の＋Ｘ軸方向側を平面視で覆う。
そして、このランプシールド板４１７により、前記電源ユニットや発光管４１１から放射される電磁ノイズがプロジェクタ１外部に漏れることを防止して、雑音障害を回避している。
【００５７】
また、光源装置４１を組み立てた状態では、楕円リフレクタ４１２は、基体４１５１により＋Ｙ軸方向側が覆われ、側壁部４１６１により−Ｘ軸方向側および−Ｚ軸方向側が覆われ、ランプシールド板４１７により＋Ｘ軸方向側および−Ｙ軸方向側が覆われる。このため、楕円リフレクタ４１２の背面側には、第２の空間Ａ２が形成される。
さらに、光源装置４１を組み立てた状態では、ランプシールド板４１７の＋Ｘ軸方向側と基体４１５１との間に所定の隙間が形成され、該隙間が第２の空間Ａ２内に冷却空気を導入するための第２の導入口４１７１（図７）となる。
さらにまた、光源装置４１を組み立てた状態では、ランプシールド板４１７により軸流ファン５１の吸入口５１１と側壁部４１６１との間の−Ｙ軸方向側が覆われる。このため、ダクト部４１６１Ｆとランプシールド板４１７とで、開口部４１６１Ａ１、第１の排出口４１６１Ｂ３、および第２の排出口４１６１Ｄ，４１６１Ｅを介した空気を軸流ファン５１の吸入口５１１に導く吸入側ダクトＤｔ（図１２）を構成する。
【００５８】
〔2-2-2．排気装置の詳細な構成〕
排気装置５は、図７または図８に示すように、排気ファンとしての軸流ファン５１と、排気ダクト５２とを備える。
軸流ファン５１は、具体的な図示は省略するが、複数の羽根板が回転軸を中心として回転することで空気の吸入および吐出を実施するものであり、吸入方向と吐出方向とが略同一となる冷却ファンである。この軸流ファン５１は、図７に示すように、吸入口５１１がアウターハウジング４１６の吸入側ダクトＤｔと接続し、吸入側ダクトＤｔにて導かれた空気を吸入して吐出する。また、この軸流ファン５１は、プロジェクタ１を組み立てた状態では、吐出口５１２が外装筺体２の側面部２１Ｃ，２２Ｃに形成された排気口２９Ａ，２９Ｂ側に向き投射レンズ３の投射方向（図７中、Ｘ軸方向）に直交する平面（図７中、ＹＺ平面）に対して傾斜するように配設される。そして、このように軸流ファン５１が配設された状態では、開口部４１６１Ａ１、第１の排出口４１６１Ｂ３、および第２の排出口４１６１Ｄ，４１６１Ｅが軸流ファン５１の前記複数の羽根板の先端側に対向するように配置されている。
【００５９】
排気ダクト５２は、図７に示すように、導入口５２１が軸流ファン５１の吐出口５１２と接続し、排出口５２２が外装筺体２の排気口２９Ａ，２９Ｂと接続し、軸流ファン５１から吐出された空気を排気口２９Ａ，２９Ｂに導く。この排気ダクト５２は、導入口５２１および排出口５２２が平面視で交差する平面視三角形状を有している（図１５参照）。
【００６０】
〔2-2-3．排気口の構造〕
図１３は、排気口２９Ａ，２９Ｂの構造を示す図である。
上述した外装筺体２に形成された排気口２９Ａ，２９Ｂには、図１３に示すように、側面部２１Ｃ，２２Ｃの長辺方向に沿って延出する複数の整流板２９Ｃ１、および側面部２１Ｃ，２２Ｃの短辺方向に沿って延出する複数の整流板２９Ｃ２が格子状に配列したルーバ２９Ｃが設けられている。
複数の整流板２９Ｃ１は、図１３に示すように、その板面が上面部２１Ａと略平行となるように形成されている。
複数の整流板２９Ｃ２は、図１３に示すように、その板面が上述した軸流ファン５１からの空気の排気方向に沿う方向に略平行となるように形成されている。
【００６１】
〔３．プロジェクタの冷却構造〕
次に、上述したプロジェクタ１の冷却構造を図面に基づいて説明する。
図１４は、プロジェクタ１全体の冷却構造を説明するための図である。
なお、以下では、プロジェクタ１内部の光源装置４１の冷却構造を主に説明し、その他の冷却構造については説明を簡略化する。
プロジェクタ１が駆動すると、投射レンズ３の側方に配置される図示しない一対のシロッコファンおよび軸流ファン５１が駆動する。
そして、前記一対のシロッコファンの駆動により、図１４の矢印ＲＡに示すように、プロジェクタ１外部の冷却空気が外装筺体２のロアーケース２２に形成された吸気口３３を介してプロジェクタ１内部に取り込まれる。プロジェクタ１内部に取り込まれた冷却空気は、図示しないダクトを介して、図１４の矢印ＲＡに示すように、光学部品用筐体４６の下方側に導かれ、光学部品用筐体４６に形成された３つの孔４６１Ｃを介して光学部品用筐体４６内部に導入される。光学部品用筐体４６内部に導入された冷却空気は、図１４の矢印ＲＡに示すように、各液晶パネル４５１、各入射側偏光板４５２、および各射出側偏光板４５３の下方側から上方に向けて流通し、各液晶パネル４５１、各入射側偏光板４５２、および各射出側偏光板４５３等が冷却される。冷却後の空気は、蓋状部材４６２の切り欠き４６２Ａを介して光学部品用筐体４６外部に流出する。
また、軸流ファン５１の駆動により、上述した光学部品用筐体４６外部に流出した空気や、外装筺体２内の空気が、図１４の矢印ＲＢに示すように、光源装置４１の第１の導入口４１５３Ｄ、第２の導入口４１５１Ｅ，４１７１側、および開口部４１６１Ａ１側に引き寄せられる。
【００６２】
図１５および図１６は、第１の導入口４１５３Ｄを介して流通する第１の空気流通路ＲＢ１を説明するための図である。具体的に、図１５は、光源装置４１を、発光管４１１を通りＸＺ平面に平行な平面で切った断面図である。図１６は、光源装置４１を、平行化凹レンズ支持部４１５３のＺ軸方向略中心位置を通りＸＹ平面に平行な平面で切った断面図である。なお、図１５および図１６でも、図７ないし図１２と同様に、光源装置４１から射出される光束の光軸方向をＺ軸とし、該Ｚ軸に直交しかつ、互いに直交する２つの軸をそれぞれＸ軸およびＹ軸とする。
第１の空間Ａ１は、図１５または図１６に示すように、平行化凹レンズ支持部４１５３、発光管４１１、楕円リフレクタ４１２、および平行化凹レンズ４１３で仕切られた楕円リフレクタ４１２の光路前段側の空間である。そして、第１の空間Ａ１には、図１５または図１６に示すように、第１の導入口４１５３Ｄ、開口部４１５３Ａ，４１５３Ｂ、および第１の排出口４１６１Ｂ３により、内部を空気が流通する第１の空気流通路ＲＢ１が形成される。
そして、軸流ファン５１の駆動により、第１の導入口４１５３Ｄ側に引き寄せられた空気は、第１の導入口４１５３Ｄ〜第１の導入ダクト４１５３Ｃ〜開口部４１５３Ａを介して第１の空間Ａ１に導入される。第１の空間Ａ１に導入された空気は、図１５または図１６に示すように、発光管４１１に対して水平方向（−Ｘ軸方向）に送風され、発光管４１１を冷却する。冷却後の空気は、開口部４１５３Ｂ〜第１の排出口４１６１Ｂ３を介して第１の空間Ａ１外に流出して吸入側ダクトＤｔに取り込まれる。
【００６３】
図１７は、第２の導入口４１５１Ｅを介して流通する第２の空気流通路ＲＢ２１を説明するための図である。具体的に、図１７は、光源装置４１を、第２の導入ダクト４１５１ＤのＸ軸方向略中心位置を通りＹＺ平面に平行な平面で切った断面図である。なお、図１７でも、図１５および図１６と同様に、光源装置４１から射出される光束の光軸方向をＺ軸とし、該Ｚ軸に直交しかつ、互いに直交する２つの軸をそれぞれＸ軸およびＹ軸とする。
第２の空間Ａ２は、基体４１５１、側壁部４１６１、ランプシールド板４１７、発光管４１１、および楕円リフレクタ４１２で仕切られた楕円リフレクタ４１２の光路後段側の空間である。そして、第２の空間Ａ２には、第２の導入口４１５１Ｅおよび第２の排出口４１６１Ｄ，４１６１Ｅにより、図１７に示すように、内部を空気が流通する第２の空気流通路ＲＢ２１が形成される。
そして、軸流ファン５１の駆動により、第２の導入口４１５１Ｅ側に引き寄せられた空気は、第２の導入口４１５１Ｅ〜第２の導入ダクト４１５１Ｄを介して第２の空間Ａ２に導入される。第２の空間Ａ２に導入された空気は、楕円リフレクタ４１２の背面側に沿って＋Ｙ軸方向側から−Ｙ軸方向側に流通し、楕円リフレクタ４１２を冷却する。
【００６４】
また、第２の空間Ａ２には、第２の導入口４１７１および第２の排出口４１６１Ｄ，４１６１Ｅにより、図１５に示すように、第２の空気流通路ＲＢ２１とは異なる第２の空気流通路ＲＢ２２が形成される。
そして、軸流ファン５１の駆動により、第２の導入口４１７１側に引き寄せられた空気は、第２の導入口４１７１を介して第２の空間Ａ２に導入される。第２の空間Ａ２に導入された空気は、楕円リフレクタ４１２の背面側に沿って＋Ｘ軸方向側から−Ｘ軸方向側に流通し、楕円リフレクタ４１２を冷却する。
【００６５】
図１８は、第２の空気流通路ＲＢ２１，ＲＢ２２を説明するための図である。具体的に、図１８は、側壁部４１６１におけるインナーハウジング４１５の面取部４１５１Ａに対応した部分の断面図である。なお、図１８でも、図１５ないし図１７と同様に、光源装置４１から射出される光束の光軸方向をＺ軸とし、該Ｚ軸に直交しかつ、互いに直交する２つの軸をそれぞれＸ軸およびＹ軸とする。
第２の空気流通路ＲＢ２１，ＲＢ２２を辿った冷却後の空気は、平面視で楕円リフレクタ４１２の−Ｙ軸方向側でかつ−Ｘ軸方向側に位置する第２の排出口４１６１Ｄ，４１６１Ｅ側に引き寄せられる。そして、第２の排出口４１６１Ｄ，４１６１Ｅを介して第２の空間Ａ２外に流出して吸入側ダクトＤｔに取り込まれる。
【００６６】
図１９は、開口部４１６１Ａ１側に引き寄せられた第３の空気流通路ＲＢ３を説明するための図である。具体的に、図１９は、プロジェクタ１において、蓋体２５２を取り外した状態を示す図である。
光源装置４１がプロジェクタ１に搭載された状態では、図１９に示すように、インナーハウジング４１５の基体４１５１、アウターハウジング４１６の突出部４１６１Ａ、およびアッパーケース２１（蓋体２５２）にて仕切られた第３の空間Ａ３が形成される。
そして、軸流ファン５１の駆動により、第２の導入口４１５１Ｅ（第２の導入ダクト４１５１Ｄ）の横を通過した空気は、第３の空間Ａ３に導入され、第３の空気流通路ＲＢ３を辿って、ランプユニット４１０（インナーハウジング４１５）の基体４１５１およびアッパーケース２１を冷却する。冷却後の空気は、開口部４１６１Ａ１を介して第３の空間Ａ３外に流出して吸入側ダクトＤｔに取り込まれる。
【００６７】
そして、第１の空気流通路ＲＢ１、第２の空気流通路ＲＢ２１，ＲＢ２２、および第３の空気流通路ＲＢ３を辿って吸入側ダクトＤｔに取り込まれた空気は、図１４または図１５の矢印ＲＣに示すように、吸入側ダクトＤｔにて軸流ファン５１の吸入口５１１まで導かれて軸流ファン５１に吸入され、排気ダクト５２に吐出される。排気ダクト５２に吐出された空気は、排気ダクト５２にて外装筺体２の排気口２９Ａ，２９Ｂまで導かれ、排気口２９Ａ，２９Ｂのルーバ２９Ｃを介して、投射レンズ３の投射方向から離間するようにプロジェクタ１の前面側に向けて排気される。
【００６８】
以上説明したように、本実施形態では、光源装置４１を構成するランプハウジング４１４は、ランプユニット４１０をアウターハウジング４１６に設置することで、第１の空間Ａ１および第２の空間Ａ２が内部に形成される。また、ランプハウジング４１４には、第１の導入口４１５３Ｄ、開口部４１５３Ａ，４１５３Ｂ、第１の排出口４１６１Ｂ３、第２の導入口４１５１Ｅ，４１７１、および第２の排出口４１６１Ｄ，４１６１Ｅが形成されている。このため、第１の空間Ａ１および第２の空間Ａ２には、空気が流通する互いに独立した第１の空気流通路ＲＢ１および第２の空気流通路ＲＢ２１，ＲＢ２２が形成される。したがって、各空気流通路ＲＢ１，ＲＢ２１，ＲＢ２２を流通する空気により、第１の空間Ａ１に配置される発光管４１１、および第２の空間Ａ２に配置される楕円リフレクタ４１２の背面側の双方を効率的に冷却でき、従来の構成と比較して、光源装置４１の冷却効率の向上が図れる。また、光源装置４１の冷却効率の向上が図れるため、プロジェクタ１の駆動停止後の一定期間、軸流ファン５１を駆動させるクールダウンを実施する必要がなく、プロジェクタ１の静音化を図れる。
【００６９】
また、ランプハウジング４１４には吸入側ダクトＤｔが形成されているので、第１の空間Ａ１および第２の空間Ａ２の第１の空気流通路ＲＢ１および第２の空気流通路ＲＢ２１，ＲＢ２２を辿って第１の排出口４１６１Ｂ３および第２の排出口４１６１Ｄ，４１６１Ｅから排出される空気を外部に漏れることなく直接、軸流ファン５１に導くことができる。このため、従来のように光源装置４１の冷却構造としてシロッコファンおよび排気ファンの２つの冷却ファンを必要とせず、１つの軸流ファン５１のみで構成でき、部材の省略からプロジェクタ１の小型化および低コスト化を図れる。
さらに、液晶パネル４５１や前記電源ユニット等を介した空気も、第１の導入口４１５３Ｄおよび第２の導入口４１５１Ｅ，４１７１〜第１の空間Ａ１および第２の空間Ａ２〜第１の排出口４１６１Ｂ３および第２の排出口４１６１Ｄ，４１６１Ｅ〜吸入側ダクトＤｔ〜軸流ファン５１の流路を辿ってプロジェクタ１外部に排出することができるため、光源装置４１の冷却構造として１つの軸流ファン５１のみで構成した場合であっても、プロジェクタ１内部に液晶パネル４５１や前記電源ユニット等にて温められた空気が滞留することがなく、プロジェクタ１全体の冷却効率が低下することがない。
【００７０】
ここで、ランプハウジング４１４がインナーハウジング４１５およびアウターハウジング４１６で構成されているので、インナーハウジング４１５およびアウターハウジング４１６を組み合わせることで、第１の空間Ａ１および第２の空間Ａ２を簡単な構成で形成することができる。また、アウターハウジング４１６に第１の排出口４１６１Ｂ３、第２の排出口４１６１Ｄ，４１６１Ｅ、およびダクト部４１６１Ｆが形成されているので、発光管４１１の寿命等によりランプユニット４１０を交換する場合でも、ダクト部４１６１Ｆと軸流ファン５１との接続状態を解除せずに、アウターハウジング４１６からランプユニット４１０を容易に取り外すことができ、ランプユニット４１０の交換を容易に実施できる。
【００７１】
また、第１の排出口４１６１Ｂ３がアウターハウジング本体４１６Ａの側壁部４１６１に平面視で発光管４１１と干渉する位置に形成されているため、第１の空間の発光管４１１近傍の空気を円滑に流通させることができ、光源装置４１の冷却効率をさらに向上できる。
【００７２】
さらに、吸入側ダクトＤｔを構成するダクト部４１６１Ｆの第２突出部４１６１Ｆ２は、突出した先端部分が略９０°曲折してＹＺ平面に略平行に延出する平面視Ｌ字形状を有し、発光管４１１から第１の排出口４１６１Ｂ３を介して排気口２９Ａ，２９Ｂに向かう光を遮断するように形成されている。また、アウターハウジング本体４１６Ａの側壁部４１６１側方から第２の排出口４１６１Ｄ，４１６１Ｅを介してランプハウジング４１４内部を覗いた場合に、楕円リフレクタ４１２が見えない位置に第２の排出口４１６１Ｄ，４１６１Ｅが形成されている。このため、プロジェクタ１の動作中に、第１の排出口４１６１Ｂ３および第２の排出口４１６１Ｄ，４１６１Ｅから排気口２９Ａ，２９Ｂを介して光が漏れることがなく、投影画像を観賞する観賞者に不快感を与えることがない。
ここで、第２の排出口４１６１Ｄが側壁部４１６１の段部４１６１Ｃに形成されているので、第２の排出口４１６１Ｄを介して光が漏れることを効果的に防止できる。
また、第２の排出口４１６１Ｄを段部４１６１Ｃに形成することで、軸流ファン５１を側壁部４１６１に対して近接配置した場合でも、第２の排出口４１６１Ｄと軸流ファン５１の吸入口５１１とを所定の距離だけ離間した状態に位置付けることができる。このため、軸流ファン５１を側壁部４１６１に対して近接配置した場合でも、軸流ファン５１の仕様で規定された離間距離（空気を効果的に吸入可能とする距離）を十分に確保し、第１の空間Ａ１および第２の空間Ａ２の空気を効果的に吸入して光源装置４１の冷却効率を十分に維持できる。また、軸流ファン５１を側壁部４１６１に対して近接配置できるため、プロジェクタ１の小型化も図れる。
【００７３】
さらにまた、第１の排出口４１６１Ｂ３および第２の排出口４１６１Ｄ，４１６１Ｅが平面視で軸流ファン５１における複数の羽根板の先端側に形成されているので、第１の排出口４１６１Ｂ３および第２の排出口４１６１Ｄ，４１６１Ｅ〜吸入側ダクトＤｔ〜軸流ファン５１に至る空気の吸入量を効果的に増加させ、第１の空間Ａ１および第２の空間Ａ２の空気をより円滑に流通させることができ、光源装置４１の冷却効率をさらに一層向上させることができる。
【００７４】
ところで、プロジェクタ１の駆動時には、光源装置４１の点灯により熱せられた空気は、上方側、すなわち、＋Ｙ軸方向側に対流する。このため、インナーハウジング４１５の基体４１５１が高温化しやすい。
本実施形態では、第２の導入口４１５１Ｅが基体４１５１に形成されているので、軸流ファン５１の駆動により、第２の導入口４１５１Ｅ側に空気が引き寄せられる過程で、該空気により基体４１５１をも冷却することができる。このため、インナーハウジング４１５の変形等を防止し、光源装置４１の冷却効率をさらに一層向上させることができる。
【００７５】
また、上方側から、すなわち、＋Ｙ軸方向側から、第１の導入口４１５３Ｄおよび第２の導入口４１５１Ｅ，４１７１を介してランプハウジング４１４内部を覗いた場合に、第１の空間Ａ１および第２の空間Ａ２が見えない構造となっている。このため、光源装置４１の点灯により熱せられ、上方側に対流する空気が第１の導入口４１５３Ｄおよび第２の導入口４１５１Ｅ，４１７１を介してランプハウジング４１４外部に排出されることを防止できる。したがって、光源装置４１の上方側に位置する外装筐体２のアッパーケース２１（蓋体２５２）に前記対流した空気が触れることがなく、アッパーケース２１の高温化、およびアッパーケース２１の高温化による変形等を防止できる。
【００７６】
さらに、光源装置４１を外装筺体２に設置した状態では、インナーハウジング４１５の基体４１５１、側壁部４１６１に形成された突出部４１６１Ａ、および外装筺体２のアッパーケース２１（蓋体２５２）により、光源装置４１の上方側、すなわち、＋Ｙ軸方向側に第３の空間Ａ３が形成される。そして、突出部４１６１Ａには、第３の空間Ａ３の空気を吸入側ダクトＤｔ内部に向けて流通させるための開口部４１６１Ａ１が形成されているので、光源装置４１の駆動により熱せられた第３の空間Ａ３の空気を軸流ファン５１に吸入させることができる。このため、インナーハウジング４１５の基体４１５１、およびアッパーケース２１の高温化や、基体４１５１およびアッパーケース２１の高温化による変形等を防止できる。
【００７７】
また、ランプユニット４１０の−Ｙ軸方向側は、金属製のランプシールド板４１７により覆われているので、例えば、プロジェクタ１を天吊りの状態で設置した場合、すなわち、ランプユニット４１０の−Ｙ軸方向が上方向となった場合であっても、光源装置４１の駆動により熱せられ−Ｙ軸方向側に対流した空気をランプシールド板４１７により遮断することができる。このため、前記対流した空気がロアーケース２２に触れることがなく、ロアーケース２２の高温化、およびロアーケース２２の高温化による変形等を防止できる。また、ランプシールド板４１７がＸＺ平面に沿って延出する形状を有しているので、前記対流した空気によりランプシールド板４１７に熱が伝達された場合であっても、該熱をランプシールド板４１７のＸＺ平面に沿って分散させることができる。なお、プロジェクタ１を通常の状態で設置した場合で、ランプユニット４１０からの放射熱でランプシールド板４１７に熱が伝達された場合も同様である。また、前記電源ユニットや発光管４１１から放射される電磁ノイズがプロジェクタ１の外部に漏れることを防止して、雑音障害を回避するために必要なランプシールド板４１７を上記のように遮熱や放熱の目的で併用することにより、冷却の効率化とアウターハウジング４１６やプロジェクタ１の小型化および低コスト化が可能となる。
【００７８】
さらにまた、排気口２９Ａ，２９Ｂは、光源装置４１が配設される側の側面部２１Ｃ，２２Ｃに形成される。また、軸流ファン５１は、光学ユニット４の平面視Ｌ字内側部分に配設され、その吐出口５１２が排気口２９Ａ，２９Ｂ側に向き投射レンズ３の投射方向に直交する平面（ＹＺ平面）に対して傾斜するように配設されている。このような構成を採用することで、従来のように排気ファンの吐出口を投射方向に直交する平面に沿うように配設する構成と比較して、軸流ファン５１から排気口２９Ａ，２９Ｂに至る流路を短くでき、プロジェクタ１の小型化を図れる。
【００７９】
ここで、排気口２９Ａ，２９Ｂに設けられたルーバ２９Ｃを構成する複数の整流板２９Ｃ２は、その板面が側面部２１Ｃ，２２Ｃの短辺方向に沿って延出するとともに、軸流ファン５１からの空気の吐出方向に沿う方向に略平行となるように形成されているので、排気口２９Ａ，２９Ｂを介してプロジェクタ１外部に排出される排気流をプロジェクタ１の前方側で投射方向から離間する側に整流することができる。したがって、プロジェクタ１の背面側や側面側に位置する観賞者から外れる方向に排気流を整流でき、観賞者に不快感を与えることがない。
【００８０】
なお、本発明は前述の実施形態に限定されるものではなく、本発明の目的を達成できる範囲での変形、改良等は本発明に含まれるものである。
前記実施形態では、本発明のリフレクタとして、楕円リフレクタ４１２を採用したが、これに限らず、発光管４１１から放射された光束を略平行となるように反射するパラボラリフレクタを採用してもよい。この場合には、平行化凹レンズ４１３の代わりに、ガラス等の透光性部材を平行化凹レンズ支持部４１５３に設置すればよい。
【００８１】
前記実施形態では、ランプハウジング４１４は、インナーハウジング４１５、アウターハウジング本体４１６Ａ、およびランプシールド板４１７の３体で構成していたが、これに限らない。
例えば、ランプハウジング４１４を、ランプシールド板４１７を省略し、２体で構成してもよい。この場合には、アウターハウジング本体４１６Ａを、ランプユニット４１０の−Ｙ軸方向側、および＋Ｘ軸方向側をも覆う形状としかつ、側壁部４１６１の−Ｙ軸方向側端縁から第１突出部４１６１Ｆ１に略平行に突出する第４突出部を形成し第１突出部４１６１Ｆ１、第２突出部４１６１Ｆ２、第３突出部４１６１Ｆ３、および前記第４突出部にて吸入側ダクトＤｔを構成する。
また、例えば、ランプハウジング４１４を、上記２体や３体でなく、４体以上の部材を組み合わせることで構成してもよい。
【００８２】
前記実施形態では、アウターハウジング本体４１６Ａに、第１の排出口４１６１Ｂ３、第２の排出口４１６１Ｄ，４１６１Ｅ、およびダクト部４１６１Ｆ等を形成していたが、これに限らず、アウターハウジング本体４１６Ａおよびインナーハウジング４１５の形状を変更してインナーハウジング４１５に、第１の排出口４１６１Ｂ３、第２の排出口４１６１Ｄ，４１６１Ｅ、およびダクト部４１６１Ｆ等を形成してもよい。すなわち、アウターハウジング本体４１６Ａの側壁部４１６１を省略して、インナーハウジング４１５に側壁部４１６１と同様の側壁部を形成する。
【００８３】
前記実施形態では、第３の空間Ａ３を光源装置４１の上方側、すなわち、＋Ｙ軸方向側に形成する構成を説明したが、これに限らず、光源装置４１の下方側、すなわち、−Ｙ軸方向側に形成する構成を採用してもよい。この構成では、プロジェクタ１を天吊りの状態で設置した場合、すなわち、ランプユニット４１０の−Ｙ軸方向が上方向となった場合にも対応できる。
前記実施形態では、透過型の液晶パネル４５１を採用していたが、これに限らず、反射型の液晶パネルを採用してもよく、あるいは、ディジタル・マイクロミラー・デバイス（テキサス・インスツルメント社の商標）を採用してもよい。ディジタル・マイクロミラー・デバイスを採用した場合には、入射側偏光板４５２および射出側偏光板４５３が不要となる。
前記実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
【００８４】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想及び目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【産業上の利用可能性】
【００８５】
本発明のプロジェクタは、小型化を図れかつ、冷却効率の向上が図れるため、プレゼンテーションやホームシアターに用いられるプロジェクタとして利用できる。
【図面の簡単な説明】
【００８６】
【図１】本実施形態におけるプロジェクタの外観を示す斜視図。
【図２】前記実施形態におけるプロジェクタの外観を示す斜視図。
【図３】前記実施形態における蓋体をアッパーケースから取り外した状態を示す図。
【図４】前記実施形態におけるプロジェクタの内部構成を示す図。
【図５】前記実施形態における光学ユニットを模式的に示す平面図。
【図６】前記実施形態における光学ユニットを下方側から見た斜視図。
【図７】前記実施形態における光源装置の構成を示す斜視図。
【図８】前記実施形態における光源装置の構成を示す斜視図。
【図９】前記実施形態におけるインナーハウジングの構成を示す斜視図。
【図１０】前記実施形態におけるインナーハウジングの構成を示す斜視図。
【図１１】前記実施形態におけるアウターハウジングの構成を示す斜視図。
【図１２】前記実施形態におけるアウターハウジングの構成を示す斜視図。
【図１３】前記実施形態における排気口の構造を示す図。
【図１４】前記実施形態におけるプロジェクタ全体の冷却構造を説明するための図。
【図１５】前記実施形態における第１の導入口を介して流通する第１の空気流通路を説明するための図。
【図１６】前記実施形態における第１の導入口を介して流通する第１の空気流通路を説明するための図。
【図１７】前記実施形態における第２の導入口を介して流通する第２の空気流通路を説明するための図。
【図１８】前記実施形態における第２の空気流通路を説明するための図。
【図１９】前記実施形態における開口部側に引き寄せられた第３の空気流通路を説明するための図。
【符号の説明】
【００８７】
１・・・プロジェクタ、２・・・外装筺体、３・・・投射レンズ（投射光学装置）、２９Ａ，２９Ｂ・・・排気口、２９Ｃ・・・ルーバ、２９Ｃ１，２９Ｃ２・・・整流板、４１・・・光源装置、５１・・・軸流ファン（排気ファン）、４１１・・・発光管、４１２・・・楕円リフレクタ、４１４・・・ランプハウジング、４１５・・・インナーハウジング、４１５１Ｅ，４１７１・・・第２の導入口、４１５３Ａ，４１５３Ｂ・・・開口部、４１５３Ｄ・・・第１の導入口、４１６・・・アウターハウジング、４５１・・・液晶パネル（光変調装置）、５１１・・・吸入口、５１２・・・吐出口、４１６１Ａ・・・突出部、４１６１Ｂ３・・・第１の排出口、４１６１Ｃ・・・段部、４１６１Ｄ，４１６１Ｅ・・・第２の排出口、Ａ１・・・第１の空間、Ａ２・・・第２の空間、Ａ３・・・第３の空間、Ｄｔ・・・吸入側ダクト。
【図１】
2006243361.tif 000003
【図２】
2006243361.tif 000004
【図３】
2006243361.tif 000005
【図４】
2006243361.tif 000006
【図５】
2006243361.tif 000007
【図６】
2006243361.tif 000008
【図７】
2006243361.tif 000009
【図８】
2006243361.tif 000010
【図９】
2006243361.tif 000011
【図１０】
2006243361.tif 000012
【図１１】
2006243361.tif 000013
【図１２】
2006243361.tif 000014
【図１３】
2006243361.tif 000015
【図１４】
2006243361.tif 000016
【図１５】
2006243361.tif 000017
【図１６】
2006243361.tif 000018
【図１７】
2006243361.tif 000019
【図１８】
2006243361.tif 000020
【図１９】
2006243361.tif 000021